(57)【要約】【課題】点検時における利便性を向上すること。【解決手段】照明器具１の非常用照明装置３における制御装置６は、第１のスイッチ６１１がオンされると第１の点検動作を行い、第２のスイッチ６１２がオンされると第２の点検動作を行う。非常用照明装置３のカバー７は、第１操作部材６２１４と対向する第１貫通孔７１２と、第２操作部材６２１５と対向する第２貫通孔７１５とを有する。基板（６１０）の厚み方向に平行な第１の方向において、当該基板から第１貫通孔７１２までの第１距離Ｄ１は、当該基板から第２貫通孔７１５までの第２距離Ｄ２よりも大きい。第１の方向に沿って見たときに、第１貫通孔７１２と第２貫通孔７１５とが並ぶ第２の方向において、カバー７の中央Ｐ３から第１貫通孔７１２までの第３距離Ｄ３は、中央Ｐ３から第２貫通孔７１５までの第４距離Ｄ４よりも小さい。【選択図】図１
2018110060.tif 000002
【特許請求の範囲】
【請求項１】
常用照明を行う常用照明装置と、非常用照明を行う非常用照明装置と、前記常用照明装置及び前記非常用照明装置を互いに隣に並べて収容する器具本体とを備え、
前記非常用照明装置は、非常用光源ユニットと、非常用電源ユニットと、前記非常用電源ユニットから供給される電力で前記非常用光源ユニットを点灯する制御装置と、前記非常用光源ユニットから放射される光が通過する孔を有して前記非常用光源ユニット及び前記制御装置を覆うカバーとを備え、
前記制御装置は、基板と、前記基板に実装される第１のスイッチ及び第２のスイッチと、押操作を受けて前記第１のスイッチをオンする第１操作部材と、押操作を受けて前記第２のスイッチをオンする第２操作部材とを有し、
前記制御装置は、前記第１のスイッチがオンされたときに第１の点検動作を行うように構成され、前記第２のスイッチがオンされたときに前記第１の点検動作とは異なる第２の点検動作を行うように構成され、
前記カバーは、前記第１操作部材と対向する第１貫通孔と、前記第２操作部材と対向する第２貫通孔とを有し、
前記基板の厚み方向に平行な第１の方向において、前記基板から前記第１貫通孔までの第１距離は、前記基板から前記第２貫通孔までの第２距離よりも大きく、
前記第１の方向に沿って見たときに、前記第１貫通孔と前記第２貫通孔とが並ぶ第２の方向において、前記カバーの中央から前記第１貫通孔までの第３距離は、前記中央から前記第２貫通孔までの第４距離よりも小さい
ことを特徴とする照明器具。
【請求項２】
前記第１貫通孔は、試験指の挿通を禁止する径寸法を有し、前記第２貫通孔は、前記試験指の挿通を許可する径寸法を有している
ことを特徴とする請求項１に記載の照明器具。
【請求項３】
前記第２操作部材の少なくとも一部は、前記第２貫通孔から前記カバーの外に突出している
ことを特徴とする請求項１又は２に記載の照明器具。
【請求項４】
前記第１のスイッチ及び前記第２のスイッチは、押釦スイッチであって、
前記第１操作部材及び前記第２操作部材は、前記第１の方向に沿って、前記第１のスイッチ及び前記第２のスイッチをそれぞれ押すように配置されている
ことを特徴とする請求項１〜３のいずれか１項に記載の照明器具。
【請求項５】
前記カバーは、前記第２の方向における前記カバーの両端から前記カバーの前記中央に近づくほど、前記器具本体から離れるように形成されている
ことを特徴とする請求項１〜４のいずれか１項に記載の照明器具。
【請求項６】
前記カバーは、前記中央が前記器具本体から離れる向きに突出する湾曲形状に形成されている
ことを特徴とする請求項１〜５のいずれか１項に記載の照明器具。
【請求項７】
前記カバーの少なくとも前記中央を含む一部は、前記器具本体から離れる向きに突出する円弧状に形成されている
ことを特徴とする請求項１〜６のいずれか１項に記載の照明器具。
【請求項８】
前記制御装置は、外部から制御信号を受信する受信部をさらに有し、
前記カバーは、前記受信部と対向する第３貫通孔をさらに有し、
前記制御装置は、前記制御信号を受信すると、前記第１の点検動作を行うように構成されている
ことを特徴とする請求項１〜７のいずれか１項に記載の照明器具。
【請求項９】
前記制御装置は、少なくとも前記第２の点検動作に関する状態を表示する表示部をさらに有し、
前記カバーは、前記表示部と対向する第４貫通孔とをさらに有し、
前記第１〜第４貫通孔は、前記第２の方向に沿って、前記第１貫通孔、前記第３貫通孔、前記第４貫通孔、前記第２貫通孔の順に配置されている
ことを特徴とする請求項８に記載の照明器具。
【請求項１０】
前記第１操作部材及び前記第２操作部材は、互いに同寸法で同形状である
ことを特徴とする請求項１〜９のいずれか１項に記載の照明器具。
【発明の詳細な説明】
【技術分野】
【０００１】
本発明は、一般に照明器具に関し、より詳細には、常用照明と非常時照明を行う照明器具に関する。
【背景技術】
【０００２】
従来例として、特許文献１記載の照明器具を例示する。この従来例は、器具本体と、常用照明用の常用光源ユニットと、非常時照明用の非常用照明装置とを備えている。器具本体は、下面が開口する長尺かつ矩形の箱形に形成されている。常用光源ユニットは、複数のＬＥＤモジュールと、各ＬＥＤモジュールが取り付けられる取付部材と、各ＬＥＤモジュールを覆うようにして取付部材に取り付けられるカバーと、各ＬＥＤモジュールを点灯する電源装置とを備えている。常用光源ユニットは、器具本体の下面からカバーを露出するようにして器具本体内に収容される。
【０００３】
非常用照明装置は、非常用光源ユニットと、制御装置とを備える。非常用光源ユニットは、ＬＥＤモジュール、レンズ、カバー、非常用電源（蓄電池）などを備える。ＬＥＤモジュールの前方にレンズが配置される。カバーは、レンズを前方に露出するようにしてＬＥＤモジュールの前方に配置される。非常用電源は、ＬＥＤモジュールの後方に配置されている。制御装置は、常用電源から供給される電力で非常用電源を充電する充電回路と、常用電源の停電時に非常用電源を電源としてＬＥＤモジュールを点灯させる非常用電源回路とを備える。また、制御装置は、点検スイッチによる操作入力を受け取って点検動作を行う制御回路を備える。常用電源は、例えば、常用光源ユニットの電源装置に給電する電源（商用の交流電源）である。
【先行技術文献】
【特許文献】
【０００４】
【特許文献１】特開２０１６−１３４２０８号公報
【発明の概要】
【発明が解決しようとする課題】
【０００５】
ところで、この従来例では、点検動作を行わせるための点検スイッチが１つである。これに対して、上記の点検動作とは異なる点検動作を行わせるために、さらに別の点検スイッチを非常用照明装置に設ける場合がある。しかし、ユーザ又は点検作業者（特に、点検を専門業務としていないユーザ）は、２つの点検スイッチにそれぞれ対応した操作部材を区別し難いという問題があった。つまり、ユーザ又は点検作業者は、意図しない方の点検動作に対応した操作部材を誤って押操作する可能性があった。
【０００６】
本発明は上記事由に鑑みてなされ、点検時における利便性を向上することができる照明器具を提供することを目的とする。
【課題を解決するための手段】
【０００７】
本発明の一態様に係る照明器具は、常用照明を行う常用照明装置と、非常用照明を行う非常用照明装置と、前記常用照明装置及び前記非常用照明装置を互いに隣に並べて収容する器具本体とを備える。前記非常用照明装置は、非常用光源ユニットと、非常用電源ユニットと、制御装置と、カバーとを備える。前記制御装置は、前記非常用電源ユニットから供給される電力で前記非常用光源ユニットを点灯する。前記カバーは、前記非常用光源ユニットから放射される光が通過する孔を有して前記非常用光源ユニット及び前記制御装置を覆う。前記制御装置は、基板と、前記基板に実装される第１のスイッチ及び第２のスイッチと、押操作を受けて前記第１のスイッチをオンする第１操作部材と、押操作を受けて前記第２のスイッチをオンする第２操作部材とを有する。前記制御装置は、前記第１のスイッチがオンされたときに第１の点検動作を行うように構成され、前記第２のスイッチがオンされたときに前記第１の点検動作とは異なる第２の点検動作を行うように構成されている。前記カバーは、前記第１操作部材と対向する第１貫通孔と、前記第２操作部材と対向する第２貫通孔とを有する。前記基板の厚み方向に平行な第１の方向において、前記基板から前記第１貫通孔までの第１距離は、前記基板から前記第２貫通孔までの第２距離よりも大きい。さらに、前記第１の方向に沿って見たときに、前記第１貫通孔と前記第２貫通孔とが並ぶ第２の方向において、前記カバーの中央から前記第１貫通孔までの第３距離は、前記中央から前記第２貫通孔までの第４距離よりも小さい。
【発明の効果】
【０００８】
本発明は、点検時における利便性を向上することができる、という利点がある。
【図面の簡単な説明】
【０００９】
【図１】図１は、本発明の一実施形態に係る照明器具の一部が破断した左側面図である。
【図２】図２は、同上の照明器具の下方から見た分解斜視図である。
【図３】図３Ａは、同上の照明器具の正面図である。図３Ｂは、同上の照明器具の平面図である。図３Ｃは、同上の照明器具の左側面図である。
【図４】図４は、同上の照明器具における非常用照明装置の下方から見た斜視図である。
【図５】図５Ａは、同上の照明器具における非常用照明装置の正面図である。図５Ｂは、同上の照明器具における非常用照明装置の平面図である。図５Ｃは、同上の照明器具における非常用照明装置の右側面図である。
【図６】図６Ａは、同上の照明器具における非常用照明装置の背面図である。図６Ｂは、同上の照明器具における非常用照明装置の下面図である。
【図７】図７は、同上の照明器具における非常用照明装置の下方から見た分解斜視図である。
【図８】図８は、同上の照明器具における非常用照明装置の断面図である。
【図９】図９は、同上の照明器具における非常用照明装置の下方から見た分解斜視図である。
【図１０】図１０は、同上の照明器具における非常用光源ユニット及び制御装置の下方から見た分解斜視図である。
【図１１】図１１は、同上の照明器具における非常用電源ユニットの下方から見た分解斜視図である。
【図１２】図１２は、同上の照明器具の要部の下方から見た分解斜視図である。
【発明を実施するための形態】
【００１０】
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１１】
本実施形態の照明器具１は、一例として、執務室などの天井に直付けされる天井直付け形の照明器具であることを想定する。ただし、照明器具１は、この限りではなく、天井埋込形の照明器具又は壁に取り付けられる照明器具であってもよい。本実施形態の照明器具１は、例えば図２に示すように、常用照明を行う常用照明装置２と、非常用照明を行う非常用照明装置３と、常用照明装置２及び非常用照明装置３を互いに隣に並べて収容する器具本体１０とを備えている。
【００１２】
非常用照明装置３は、例えば図７に示すように、非常用光源ユニット４と、非常用電源ユニット５と、制御装置６と、カバー７とを備える。制御装置６は、非常用電源ユニット５から供給される電力で非常用光源ユニット４を点灯する。カバー７は、非常用光源ユニット４から放射される光が通過する孔７１１を有して非常用光源ユニット４及び制御装置６を覆う。
【００１３】
制御装置６は、図１に示すように、基板（第２プリント配線板６１０）と、当該基板に実装される第１のスイッチ６１１及び第２のスイッチ６１２とを有している。さらに、制御装置６は、押操作を受けて第１のスイッチ６１１をオンする第１操作部材６２１４と、押操作を受けて第２のスイッチ６１２をオンする第２操作部材６２１５とを有している。
【００１４】
制御装置６は、第１のスイッチ６１１がオンされたときに第１の点検動作を行うように構成されている。また、制御装置６は、第２のスイッチ６１２がオンされたときに第１の点検動作とは異なる第２の点検動作を行うように構成されている。ここでいう第１の点検動作とは、例えば、非常用電源ユニット５の蓄電池５０を充電するための充電回路を停止させて、かつ、点灯回路を動作させて非常用光源ユニット４を所定の時間（例えば３０分又は６０分）点灯させた後、再度、点灯回路を停止させて充電回路を動作させることである。また、ここでいう第２の点検動作とは、例えば、第２のスイッチ６１２がオン状態の間、充電回路を停止させて、かつ、点灯回路を動作させて非常用光源ユニット４を継続的に点灯させる動作である。第２のスイッチ６１２がオフ状態になると、点灯回路が停止されて、再度、充電回路が動作される。
【００１５】
カバー７は、第１操作部材６２１４と対向する第１貫通孔７１２と、第２操作部材６２１５と対向する第２貫通孔７１５とを有する。本実施形態では、基板（第２プリント配線板６１０）の厚み方向に平行な第１の方向において、当該基板から第１貫通孔７１２までの第１距離Ｄ１は、当該基板から第２貫通孔７１５までの第２距離Ｄ２よりも大きい（図１参照）。ここでは、第１の方向とは、図２で規定されている上下方向に相当する。図示例では、第１距離Ｄ１は、第１の方向における基板から第１貫通孔７１２の中心Ｐ１までの距離を示し、第２距離Ｄ２は、第１の方向における基板から第２貫通孔７１５の中心Ｐ２までの距離を示している。
【００１６】
第１の方向に沿って見たときに、第１貫通孔７１２と第２貫通孔７１５とが並ぶ第２の方向（図５Ａの一点鎖線Ａ１参照）において、カバー７の中央Ｐ３から第１貫通孔７１２までの第３距離Ｄ３は、中央Ｐ３から第２貫通孔７１５までの第４距離Ｄ４よりも小さい。ここでは、第２の方向とは、図２で規定されている前後方向に相当する。
【００１７】
カバー７の中央Ｐ３とは、カバー７全体の中央ではなく、第１貫通孔７１２と第２貫通孔７１５とを通る直線（一点鎖線Ａ１）上におけるカバー７の中央である。図示例では、第３距離Ｄ３は、第２の方向におけるカバー７の中央Ｐ３から第１貫通孔７１２の中心Ｐ１までの距離を示し、第４距離Ｄ４は、第２の方向における中央Ｐ３から第２貫通孔７１５の中心Ｐ２までの距離を示している。なお、図１は、照明器具１の一部破断した左側面図を示しており、その破断した部分は、図５Ａの一点鎖線Ａ１における断面を示している。
【００１８】
第１距離Ｄ１及び第２距離Ｄ２の各々は、例えば、基板から対応する孔の中央Ｐ３側の開口縁までの距離であってもよい。また、第３距離Ｄ３及び第４距離Ｄ４の各々は、例えば、中央Ｐ３から対応する孔の中央Ｐ３側の開口縁までの距離であってもよい。
【００１９】
（２）詳細
（２．１）全体構成
以下、本実施形態の照明器具１について、図１〜図１２を参照して詳しく説明する。以下では、特に断りの無い限り、照明器具１の上下、左右、前後の方向を、図２に図示されている上下、左右、前後の矢印を用いて規定して説明する。また、以下、「ユーザ」とは、例えば、照明器具１が設置された場所で作業する者あるいは照明器具１の所有者であり、すなわち、点検作業を専門業務としていない者を意味する。一方、「点検作業者」とは、例えば、定期的な点検作業を専門業務としている作業者を意味する。
【００２０】
本実施形態の照明器具１は、「（１）概要」の欄で説明したように、常用照明を行う常用照明装置２と、非常用照明を行う非常用照明装置３と、常用照明装置２及び非常用照明装置３を収容する器具本体１０とを備えている。
【００２１】
（２．２）器具本体
器具本体１０は、金属材料によって長尺の箱形に形成されている。器具本体１０は、長尺の矩形平板状の天板１１と、天板１１の長手方向（左右方向）に沿った２つの端縁のそれぞれから下向きに突出する一対の第１側板１２とを有している。器具本体１０は、さらに、天板１１の短手方向（前後方向）に沿った２つの端縁のそれぞれから下向きに突出する一対の第２側板１３を有している。さらに、器具本体１０は、天板１１に対向する下面に開口部１５（図２参照）を有している。天板１１には、電線を通すための孔１１０が左右方向におけるほぼ中央に設けられている。また、天板１１には、左右方向における両端寄りの位置に吊りボルトを通すための孔１１１がそれぞれ設けられている（図２参照）。さらに、天板１１の下面には、孔１１０から引き込まれる電線が結線される端子台１４が取り付けられている。
【００２２】
（２．３）常用照明装置
常用照明装置２は、常用光源と、常用光源が取り付けられる取付部材２１と、常用光源を覆う透光カバー２０と、常用光源を点灯する電源装置とを備えている。常用光源は、長尺の基板と、基板の表面に実装される多数のＬＥＤ（Light Emitting Diode）とを有している。取付部材２１は、金属材料によって長尺の樋状に形成されている。取付部材２１は、長尺の矩形板状に形成された底板と、底板の短手方向（前後方向）における両端から上向きに立ち上がる一対の側板２１０とを有している。常用光源は、取付部材２１の底板の下面に取り付けられる。電源装置は、端子台１４を介して常用電源（例えば、商用の交流電源）から供給される交流電力を直流電力に変換するように構成されている。電源装置は、取付部材２１の底板の上面に取り付けられる。常用光源と電源装置は、底板に設けられた挿通孔に挿通される電線によって電気的に接続される。常用光源は、電線を介して電源装置から直流電力が供給されることによって点灯する。
【００２３】
透光カバー２０は、アクリル樹脂やポリカーボネート樹脂などの透光性を有する合成樹脂材料により上面が開口する長尺の箱形に形成されている。透光カバー２０の下面は、短手方向（前後方向）において両端から中央に向かってなだらかに下向きに突出する曲面形状に形成されている（図２参照）。なお、透光カバー２０を形成する合成樹脂材料には、拡散剤が混入されている。すなわち、常用光源から放射される光は、透光カバー２０を透過する際に拡散される。
【００２４】
常用照明装置２は、透光カバー２０を除く部分（取付部材２１の側板２１０，２１０及び電源装置など）が器具本体１０内に収容され、器具本体１０の開口部１５の大部分を透光カバー２０で塞ぐようにして器具本体１０に着脱可能に取り付けられる。ただし、常用照明装置２を器具本体１０に着脱可能に取り付ける構造は、特許文献１に記載されている従来例と共通であるから、詳細な説明及び図示は省略する。
【００２５】
（２．４）非常用照明装置
（２．４．１）非常用照明装置の全体構成
次に、非常用照明装置３について、図面を参照して詳細に説明する。非常用照明装置３は、「（１）概要」の欄で説明したように、非常用光源ユニット４と、非常用電源ユニット５と、制御装置６と、カバー７と、を備えている（図２〜図９参照）。さらに、非常用照明装置３は、押さえ具８を備えている。
【００２６】
（２．４．２）非常用光源ユニット
非常用光源ユニット４は、図９に示すように、ＬＥＤモジュール４０と、ホルダ４１と、一対の端子板４２と、放熱シート４３（図８参照）と、レンズ４４とを有している。ＬＥＤモジュール４０は、矩形平板状の実装基板４００の中央に少なくとも１個のＬＥＤチップが実装されて構成されている。ＬＥＤチップは、例えば、青色光を放射する青色発光ダイオードであることが好ましい。また、ＬＥＤチップを含む実装基板４００の実装面（下面）は、ＬＥＤチップから放射される青色光を波長変換する蛍光物質が混入された封止樹脂４０１で被われている（図９参照）。さらに、実装基板４００の対角の位置にある一対の角部の下面には、それぞれ電極が形成されている。一方の電極は、ＬＥＤチップのカソードと電気的に接続され、他方の電極は、ＬＥＤチップのアノードと電気的に接続されている。さらに、これら２つの電極は、一対の端子板４２のうちの対応する端子板４２と電気的に接続されている。
【００２７】
レンズ４４は、例えばガラス製であって、図９に示すように、レンズ本体４４０と、レンズ本体４４０の周縁から外向きに突出する円環状の外鍔部４４１とを有している。レンズ４４は、図８に示すように、非球面形状の入射面４４２及び出射面４４３を有し、いわゆるバットウイング（batwing）状の配光特性を実現する広角配光レンズであることが好ましい。ただし、レンズ４４は、ガラス繊維が混入されることで耐熱性（難燃性）が向上された合成樹脂材料（例えば、ポリカーボネート樹脂など）で形成されてもよい。
【００２８】
放熱シート４３は、高熱伝導率、電気絶縁性及び難燃性を有するシリコーン樹脂製のシート材で構成される。放熱シート４３は、ＬＥＤモジュール４０の実装基板４００の上面に接触する。
【００２９】
ホルダ４１は、例えばポリカーボネート樹脂などの合成樹脂材料により、上下方向から見て、おおよそ菱形に形成される（図９参照）。ホルダ４１は、ＬＥＤモジュール４０の発光面（下面）にレンズ４４のレンズ本体４４０を重ねるようにして、ＬＥＤモジュール４０とレンズ４４を保持している。また、ホルダ４１は、端子板保持部４１０を有している。端子板保持部４１０は、上向きに伸びた角筒状に形成され、一対の端子板４２を内部に収容して保持している（図８〜図１０参照）。
【００３０】
（２．４．３）非常用電源ユニット
非常用電源ユニット５は、図１１に示すように、乾電池型の複数（図示例では５本）の蓄電池５０と、これら複数の蓄電池５０を収容する合成樹脂材料製のケース５１と、第１導体５４と、第２導体５５とを備えている。ケース５１は、ケースボディ５２とケースカバー５３を有する。ケースボディ５２は、矩形の底壁５２０と、底壁５２０の前後両端縁から下向きに突出する一対の第１側壁５２１とを有している。また、ケースボディ５２は、底壁５２０の右側の端縁から下向きに突出する第２側壁５２２と、底壁５２０の左側の端縁から下向きに突出する第３側壁５２３とを有している。ただし、第３側壁５２３は、第１側壁５２１，５２１及び第２側壁５２２よりも上下方向の高さを高くするように形成されている。
【００３１】
底壁５２０は、その下面から下向きに突出する５つの突台部５２６を有している。これら５つの突台部５２６は、底壁５２０の下面において左右方向に並んでいる。また、各突台部５２６の下面は、半円筒面形状に形成されている。各突台部５２６の下面に蓄電池５０が１本ずつ載せられて支持される。ただし、５つの突台部５２６のうちで左端の突台部５２６は、他の４つの突台部５２６よりも下方に位置している。
【００３２】
第１側壁５２１，５２１の各々は、一対の突片５２１０を有している。各突片５２１０は、矩形の板状に形成され、第１側壁５２１の下端から下に突出している。また、各突片５２１０は、その先端（下端）に三角柱状の爪５２１１を有している。ただし、前方の第１側壁５２１が有する各突片５２１０の爪５２１１は前方へ突出し、後方の第１側壁５２１が有する各突片５２１０の爪５２１１は後方へ突出している。
【００３３】
第２側壁５２２は、その右側面における下端から右向きに突出している突部５２４を有する。突部５２４は、おおよそ直方体状に形成されている。ただし、突部５２４の右下の辺は、凸曲面形状に形成されることが好ましい。
【００３４】
第３側壁５２３は、矩形の板状に形成されている。第３側壁５２３は、その左側面における前方の下部に、端子保持部５２７を有している。端子保持部５２７は、軸方向を上下方向に一致させた角筒状に形成されている。また、端子保持部５２７内の空間は、隔壁５２７０によって２つに区切られている（図１１参照）。また、端子保持部５２７は、その前面における上端部分に、矩形板状のガイド片５２７１を有している。ガイド片５２７１は、厚み方向を左右方向に一致させるようにして端子保持部５２７の前面から前方へ突出している。
【００３５】
ケースカバー５３は、矩形の第１底壁５３０と、第１底壁５３０の左側の端縁から左斜め下向きに突出する矩形の第１側壁５３１と、第１底壁５３０及び第１側壁５３１の前後両端縁から上向きに突出する一対の第２側壁５３２とを有している。また、ケースカバー５３は、第１底壁５３０の右側の端縁から上向きに突出する第３側壁５３３と、第１側壁５３１の左側の端縁から左向きに突出する第２底壁５３４とを有している。
【００３６】
各第２側壁５３２は、一対の貫通孔５３２０を有している。また、前方の第２側壁５３２は、階段状に形成されている。
【００３７】
第３側壁５３３は、突片５３３０を有している。突片５３３０は、第３側壁５３３の後端寄りの上端から上に突出している。また、突片５３３０は、その先端（上端）に三角柱状の爪５３３１を有している。爪５３３１は、突片５３３０の上端における右側面から右方へ突出している。
【００３８】
第２底壁５３４は、矩形の板状に形成されている。第２底壁５３４は、その前方左端に蓋部５３５を有している。蓋部５３５は、左右方向から見た形状がＵ字状となるように形成されている。
【００３９】
５本の蓄電池５０は、各々の径方向に沿って互い違いに並ぶように配置される。右端の蓄電池５０の負極端子に、第１導体５４の一端部（右端の端部）が電気的に接続される。また、左端の蓄電池５０の正極端子に、第２導体５５の一端部（右端の端部）が電気的に接続される。右端の蓄電池５０の正極端子と、右から２番目の蓄電池５０の負極端子とが導体板５６によって電気的に接続される。右から２番目の蓄電池５０の正極端子と、右から３番目の蓄電池５０の負極端子とが導体板５６によって電気的に接続される。左端の蓄電池５０の負極端子と、左から２番目の蓄電池５０の正極端子とが導体板５６によって電気的に接続される。右から３番目の蓄電池５０の正極端子と、左から２番目の蓄電池５０の負極端子とが導体板５６によって電気的に接続される。つまり、５本の蓄電池５０は、４枚の導体板５６によって電気的に直列接続されている。
【００４０】
第１導体５４は、金属板によってＳ字状に形成されている（図１１参照）。第１導体５４の長手方向の一端（右端）が右端の蓄電池５０の負極端子と電気的に接続される。第１導体５４は、その長手方向の他端（左端）に第１コンタクト５７を有している。第１コンタクト５７は、角筒状の枠体５７０と、枠体５７０内に収容されるばね体とを有している。ばね体は、枠体５７０の上端に結合され、枠体５７０内において左右方向に撓み可能となるように枠体５７０と一体に形成されている。第１導体５４は、上側の第１側壁５２１及び第３側壁５２３に沿ってケースボディ５２内に収容される。また、第１コンタクト５７は、端子保持部５２７内の２つの空間のうちで隔壁５２７０の上側の空間に収容される。
【００４１】
第２導体５５は、金属板によってＳ字状に形成されている。第２導体５５の長手方向の一端（右端）が左端の蓄電池５０の正極端子と電気的に接続される。第２導体５５は、その長手方向の他端（左端）に第２コンタクト５８を有している。第２コンタクト５８は、角筒状の枠体と、枠体内に収容されるばね体とを有している。ばね体は、枠体の上端に結合され、枠体内において左右方向に撓み可能となるように枠体と一体に形成されている。第２導体５５は、下側の第１側壁５２１及び第３側壁５２３に沿ってケースボディ５２内に収容される。また、第２コンタクト５８は、端子保持部５２７内の２つの空間のうちで隔壁５２７０の下側の空間に収容される。
【００４２】
ケースボディ５２にケースカバー５３が結合されることによってケース５１が組み立てられる（図９参照）。ケースボディ５２が有する４つの突片５２１０がそれぞれ、ケースカバー５３が有する４つの貫通孔５３２０のうちの対応する貫通孔５３２０に挿入される。さらに、ケースカバー５３が有する突片５３３０が、ケースボディ５２の突部５２４に設けられている貫通孔５２４０に挿入される。そして、突片５２１０、５３３０の先端に設けられている爪５２１１、５３３１が、貫通孔５３２０、５２４０の縁にそれぞれ引っ掛かることでケースボディ５２とケースカバー５３が結合される。なお、ケースボディ５２の端子保持部５２７の下側の開口部は、ケースカバー５３の蓋部５３５が被さることで閉じられる（図９参照）。
【００４３】
（２．４．４）制御装置
制御装置６は、図１０に示すように、第１回路ブロック６０、第２回路ブロック６１、筐体６２、及び放熱板６３を備えている。第１回路ブロック６０は、矩形板状の第１プリント配線板６００、複数種類の電子部品６０１、受け側コネクタ６４、入力端子台６０３、出力コネクタ６０２、及び第１コネクタ６０４を有している。複数の種類の電子部品６０１のうちでリード付きの電子部品６０１が第１プリント配線板６００の下面（部品面）に挿入実装されている。また、複数種類の電子部品６０１のうちで表面実装型の電子部品６０１が第１プリント配線板６００の上面（はんだ面）に表面実装されている。ただし、第１プリント配線板６００の部品面には、受け側コネクタ６４、入力端子台６０３、出力コネクタ６０２及び第１コネクタ６０４も挿入実装されている。
【００４４】
出力コネクタ６０２は、一対のコンタクト６０２０を有している（図１０参照）。出力コネクタ６０２の各コンタクト６０２０は、非常用光源ユニット４の一対の端子板４２のうちの対応する端子板４２と接触して導通する。
【００４５】
受け側コネクタ６４は、第１コンタクト受け６４１と、第２コンタクト受け６４２と、ベース６４０とを有している（図１０参照）。ベース６４０は、電気絶縁性を有した合成樹脂材料によって矩形の板状に形成されている。第１コンタクト受け６４１及び第２コンタクト受け６４２は棒状に形成されて、ベース６４０を厚み方向に貫通した状態でベース６４０に支持されている。第１コンタクト受け６４１は、非常用電源ユニット５の第１コンタクト５７の枠体５７０内に挿入された状態において、枠体５７０内のばね体によって枠体５７０に押し付けられることで第１コンタクト５７と電気的に接続される。第２コンタクト受け６４２は、非常用電源ユニット５の第２コンタクト５８の枠体内に挿入された状態において、枠体内のばね体によって枠体に押し付けられることで第２コンタクト５８と電気的に接続される。
【００４６】
第１回路ブロック６０は、第１プリント配線板６００に形成されているプリント配線と、第１プリント配線板６００の部品面及びはんだ面に実装されている複数種類の電子部品６０１とで構成されたプリント回路を有している。第１回路ブロック６０のプリント回路は、例えば、直流電源回路、充電回路、点灯回路、停電検出回路、制御回路を含んでいる。直流電源回路は、例えば、リンギングチョークコンバータなどの自励型のスイッチング電源回路で構成され、常用電源から入力端子台６０３に入力される交流電圧を直流電圧に変換するように構成されている。充電回路は、常用電源から給電されているときに受け側コネクタ６４を通して一定の充電電流を出力するように構成されている。すなわち、充電回路は、非常用電源ユニット５の蓄電池５０を充電するための回路である。点灯回路は、非常用電源ユニット５から受け側コネクタ６４に入力される直流電流を定電流化し、定電流化した出力電流を出力コネクタ６０２より非常用光源ユニット４に供給するように構成されている。停電検出回路は、直流電源回路の出力電圧から常用電源の停電を検出して制御回路に通知するように構成されている。制御回路は、停電検出回路が常用電源の停電を検出していないときに充電回路を動作させ、かつ、点灯回路を停止させるように構成されている。また、制御回路は、停電検出回路が常用電源の停電を検出しているときに充電回路を停止させ、かつ、点灯回路を動作させるように構成されている。
【００４７】
第２回路ブロック６１は、図１及び図１０に示すように、矩形板状の第２プリント配線板６１０（基板）、第１のスイッチ６１１、第２のスイッチ６１２、表示部６１３、受信部６１４並びに第２コネクタ６１５（図１０参照）を有している。本実施形態では、第１のスイッチ６１１及び第２のスイッチ６１２は、いずれも押釦スイッチである。
【００４８】
第２コネクタ６１５は、第２プリント配線板６１０の下面における長手方向の一端（前端）に実装されている。第１のスイッチ６１１は、第２プリント配線板６１０の下面における第２コネクタ６１５の後方に実装されている。第２のスイッチ６１２は、第２プリント配線板６１０の下面における長手方向の他端（後端）に実装されている。
【００４９】
表示部６１３は、例えば、緑色光を放射するＬＥＤチップを有している。表示部６１３は、第２プリント配線板６１０の下面における第２のスイッチ６１２の前方に実装されている。受信部６１４は、例えば、赤外線を通信媒体とする制御信号を外部から受信し、受信した制御信号から送信フレームを復調するように構成されている。この制御信号は、定期点検の作業を行う点検作業者に操作されるリモートコントローラから送信される。受信部６１４は、第２プリント配線板６１０の下面における表示部６１３と第１のスイッチ６１１の間に実装されている。要するに、第１及び第２のスイッチ６１１，６１２、表示部６１３及び受信部６１４は、第２の方向（前後方向）に沿って、第１のスイッチ６１１、受信部６１４、表示部６１３、第２のスイッチ６１２の順に配置されている（図１参照）。
【００５０】
第２コネクタ６１５は、例えば、ケーブルによって第１回路ブロック６０の第１コネクタ６０４と電気的に接続される。第１回路ブロック６０の制御回路は、ケーブルを通して第１及び第２のスイッチ６１１、６１２の操作状態（オン及びオフ）を監視するように構成されている。また、制御回路は、受信部６１４で復調される制御信号の送信フレームを、ケーブルを通して受け取るように構成されている。さらに、制御回路は、第１回路ブロック６０の充電回路が動作している場合、ケーブルを通して表示部６１３に電流を流すことで表示部６１３を発光させるように構成されている。
【００５１】
制御回路は、第１のスイッチ６１１がオンされた場合、又は受信部６１４から送信フレームを受け取った場合、自己点検動作（第１の点検動作）を行うように構成されている。自己点検動作とは、充電回路を停止させ、かつ、点灯回路を所定の時間（例えば３０分又は６０分）動作させた後、再度、点灯回路を停止させ、かつ、充電回路を動作させることである。点検作業者は、定期的な点検作業を行う場合、第１のスイッチ６１１又はリモートコントローラを通じて、この自己点検動作（第１の点検動作）を行わせる。
【００５２】
さらに、制御回路は、第２のスイッチ６１２がオンされた場合、自己点検動作とは異なる別の点検動作（第２の点検動作）を行うように構成されている。この第２の点検動作とは、第２のスイッチ６１２がオン状態の間、充電回路を停止させ、かつ、点灯回路を動作させる。第２のスイッチ６１２がオフ状態になると、点灯回路を停止させ、かつ、充電回路を動作させる。ただし、制御回路は、第２の点検動作を行うように指示する送信フレームを受信部６１４から受け取った場合も第２の点検動作を行うように構成されることが好ましい。ユーザは、点検作業を行う場合、第２のスイッチ６１２を通じて、この点検動作（第２の点検動作）を行わせる。
【００５３】
ここで、表示部６１３は、少なくとも第２の点検動作に関する状態を表示することが望ましい。例えば、表示部６１３は、充電回路が動作中には緑色光を発し、第２の点検動作中、すなわち、充電回路が停止し、点灯回路が動作中には消灯すように構成されてもてよい。ただし、表示部６１３は、第２の点検動作だけでなく、第１の点検動作に関しても、点灯回路が動作中には消灯するように構成されることが望ましい。
【００５４】
筐体６２は、第１筐体６２０と第２筐体６２１を有している。第１筐体６２０は、底部６２００と、側壁部６２０１とを有している。底部６２００は、おおよそ矩形の箱形に形成されている。底部６２００は、第１回路ブロック６０の第１プリント配線板６００のはんだ面を厚み方向（上下方向）から支持するように構成されている。側壁部６２０１は、板状に形成されている。側壁部６２０１は、ヒンジを介して底部６２００に連結されている。ゆえに、側壁部６２０１は、ヒンジを軸にして底部６２００に対して回転可能となるように構成されている。また、側壁部６２０１は、第２回路ブロック６１の第２プリント配線板６１０の長手方向に沿った端部（左端部）を厚み方向から挟んで支持するように構成されている。
【００５５】
第２筐体６２１は、上面及び左側面が開放された箱状に形成されている。第２筐体６２１は、第１筐体６２０と結合される。第２筐体６２１の上面は、第１筐体６２０の底部６２００によって閉じられる。また、第２筐体６２１の左側面は、第１筐体６２０の側壁部６２０１によって閉じられる（図８参照）。
【００５６】
第２筐体６２１は、下面の左端から下方へ突出する突台部６２１０を有している（図１及び１０参照）。突台部６２１０は、おおよそ角錐台状に形成されている。突台部６２１０は、２つの操作部材（第１操作部材６２１４及び第２操作部材６２１５）を有している。第１操作部材６２１４は、突台部６２１０の下面における前端に設けられている。また、第２操作部材６２１５は、突台部６２１０の下面における後端に設けられている。
【００５７】
本実施形態では、第１操作部材６２１４及び第２操作部材６２１５が、互いに同寸法で同形状である。したがって、同じ部材を２つ用いて突台部６２１０を製造できるため、製造コストを抑えることができる。第１操作部材６２１４及び第２操作部材６２１５の各々は、図１に示すように、上面が開放された円筒形状の基部６２１Ａと、基部６２１Ａから上方へ突出した棒状の接触部６２１Ｂとから構成されている。
【００５８】
基部６２１Ａは、上端の開口周縁から外側に突出する爪部６２１Ｃを有している（図１参照）。一方、突台部６２１０は、第１操作部材６２１４及び第２操作部材６２１５をそれぞれ個別に収容する２つの収容室を有している。各基部６２１Ａの爪部６２１Ｃは、対応する収容室の内周面に形成された凹所に対して上下方向に移動可能に引っ掛けられている。そのため、第１操作部材６２１４及び第２操作部材６２１５は、突台部６２１０から脱落することなく、突台部６２１０の下面に対して上下方向に移動可能となるように構成されている。そして、上向きに押された第１操作部材６２１４の接触部６２１Ｂが第１のスイッチ６１１の押釦を押すことにより、第１のスイッチ６１１がオンする。また、上向きに押された第２操作部材６２１５の接触部６２１Ｂが第２のスイッチ６１２の押釦を押すことにより、第２のスイッチ６１２がオンする。言い換えると、第１操作部材６２１４及び第２操作部材６２１５は、いずれも同じ方向（上下方向）に沿って第１のスイッチ６１１及び第２のスイッチ６１２をそれぞれ押すように配置されている。
【００５９】
さらに、突台部６２１０の下面において第１操作部材６２１４と第２操作部材６２１５の間に、円形の窓６２１６、６２１７が設けられている。前方の窓６２１６は、上下方向において第２回路ブロック６１の受信部６１４と対向している。後方の窓６２１７は、上下方向において第２回路ブロック６１の表示部６１３と対向している。つまり、リモートコントローラから送信される制御信号は、前方の窓６２１６を通して受信部６１４に到達する。また、表示部６１３が発する光（緑色光）は、後方の窓６２１７を通して筐体６２の外に放射される。
【００６０】
なお、突台部６２１０は、図１に示すように、窓６２１６の周縁を構成する、上下方向の両端が開口した円筒形状の導光部６５を有している。導光部６５は、開口する上端が受信部６１４と対向するように上下方向に沿って延びている。導光部６５の内周面は、反射面を有していて、リモートコントローラから送信される赤外線を効率よく受信部６１４へ集光する。
【００６１】
また、第２筐体６２１は、右端に３つの開口部６２１１、６２１２、６２１３を有している。これら３つの開口部６２１１、６２１２、６２１３は、前後方向に沿って一列に並んでいる（図１０参照）。前端の開口部６２１１は、第１回路ブロック６０の受け側コネクタ６４と対向している。後端の開口部６２１３は、入力端子台６０３が挿通される。中央の開口部６２１２は、出力コネクタ６０２と対向している（図９参照）。
【００６２】
放熱板６３は、非常用光源ユニット４が取り付けられる取付部６３０と、一対の脚部６３１と、一対の固定部６３２とを有している（図１０参照）。取付部６３０は、おおよそ台形状に形成されている。一対の脚部６３１は、平坦な板状に形成されて取付部６３０の前端及び後端から上方向へ突出している。一対の固定部６３２は、一対の脚部６３１の上端から前後方向に沿って互いに近付く向きに突出している。ただし、本実施形態では、取付部６３０と一対の脚部６３１と一対の固定部６３２とは、アルミ又はアルミ合金製の板材によって一体に形成されている。
【００６３】
放熱板６３は、取付部６３０を第２筐体６２１の下面に対向させ、一対の脚部６３１を第２筐体６２１の前面及び後面に対向させ、一対の固定部６３２を第１筐体６２０の底部６２００の上面に引っ掛けるようにして筐体６２に取り付けられる（図９参照）。また、放熱板６３は、一対の脚部６３１に設けられている矩形の嵌合孔６３３のそれぞれに、第２筐体６２１の上面及び下面の上端から突出する突部６２１８を嵌合させることによって筐体６２に対して位置決めされている（図９及び図１０参照）。
【００６４】
非常用光源ユニット４は、放熱板６３の取付部６３０に設けられているねじ孔６３００に対してホルダ４１がねじ止めされることによって取付部６３０に取り付けられている（図７〜図１０参照）。また、非常用光源ユニット４は、第２筐体６２１の中央の開口部６２１２から露出する出力コネクタ６０２にホルダ４１の端子板保持部４１０が差込接続されることにより、制御装置６の第１回路ブロック６０と電気的に接続される（図８参照）。さらに、ＬＥＤモジュール４０は、放熱シート４３を介して取付部６３０（放熱板６３）と熱的に結合される（図８参照）。
【００６５】
制御装置６は、器具本体１０内の左端に収容される（図１２参照）。制御装置６は、放熱板６３の一対の固定部６３２が天板１１にねじ止めされることによって器具本体１０に固定されることが好ましい。つまり、ＬＥＤモジュール４０が発する熱は、放熱シート４３から放熱板６３に伝導され、さらに、放熱板６３から器具本体１０に伝導されて放熱される。
【００６６】
（２．４．５）押さえ具
押さえ具８は、図７に示すように、主片８０、引掛片８１、側片８２、第１差込片８３、第２差込片８４、及び第３差込片８５を有している。なお、本実施形態では、主片８０、引掛片８１、側片８２、第１差込片８３、第２差込片８４及び第３差込片８５は、金属板によって一体に形成されている。
【００６７】
主片８０は、下方から見てＬ字状に形成されている。主片８０は、雌ねじ部８００を有している。引掛片８１は、円弧状に湾曲した湾曲部８１０と、湾曲部８１０と主片８０を連結する連結部８１１と、湾曲部８１０の下端から突出する矩形の平坦部８１２とを有している（図５Ａ〜５Ｃ及び図７参照）。引掛片８１は、連結部８１１によって主片８０の左端の下部と連結されている。なお、引掛片８１は、連結部８１１が厚み方向に撓むことにより、湾曲部８１０を左右方向に変位可能とするように構成されている。側片８２は、矩形に形成されている。側片８２は、主片８０の後端から下向き及び左向きに突出している。側片８２の下部は後方に向かって傾斜している。第１差込片８３及び第２差込片８４は、前後方向から見てＬ字状に形成されている（図５Ｂ及び図６Ｂ参照）。なお、第２差込片８４は、主片８０に切り起こし形成されることが好ましい。第３差込片８５は、前後方向から見てＬ字状に形成されている（図５Ｂ及び図６Ｂ参照）。第３差込片８５は、側片８２の左端の上端から上方向へ突出している（図５Ｂ参照）。
【００６８】
押さえ具８は、天板１１を貫通する３つの孔に第１差込片８３、第２差込片８４及び第３差込片８５が一対一に対応して差し込まれ、第１差込片８３、第２差込片８４及び第３差込片８５のそれぞれが天板１１を挟むように構成されている。そして、押さえ具８は、天板１１に設けられるねじ挿通孔に挿通されたねじが主片８０の雌ねじ部８００にねじ込まれることによって天板１１の下面に取り付けられる。
【００６９】
非常用電源ユニット５は、器具本体１０の天板１１に取り付けられた制御装置６と押さえ具８の間に配置される（図１２参照）。非常用電源ユニット５は、ケースボディ５２を天板１１に対向させた状態で器具本体１０内の制御装置６と押さえ具８の間の空間に収容される。非常用電源ユニット５の端子保持部５２７は、第２筐体６２１の前端の開口部６２１１を通して筐体６２内に挿入される。このとき、端子保持部５２７のガイド片５２７１が、第２筐体６２１の前面の右端に設けられているガイド溝６２１９に案内される（図７参照）。そして、非常用電源ユニット５の第１コンタクト５７が、制御装置６の第１コンタクト受け６４１と電気的に接続される。また、非常用電源ユニット５の第２コンタクト５８が、制御装置６の第２コンタクト受け６４２と電気的に接続される。さらに、非常用電源ユニット５は、ケース５１に設けられた突部５２４に、押さえ具８の引掛片８１の湾曲部８１０を引っ掛けることによって押さえ具８に支持される（図５Ａ及び図９参照）。ここで、引掛片８１は、平坦部８１２に加えられる力によって連結部８１１が撓むと、湾曲部８１０が右向きに変位して湾曲部８１０と突部５２４との引っ掛かりが解除される。そして、非常用電源ユニット５は、湾曲部８１０と突部５２４との引っ掛かりが解除された状態で下向きに引っ張られると、第１コンタクト５７及び第２コンタクト５８が第１コンタクト受け６４１及び第２コンタクト受け６４２から引き抜かれる。つまり、作業者は、非常用電源ユニット５の器具本体１０への収容作業とほぼ同時に非常用電源ユニット５と制御装置６との電気的な接続作業を完了させることができる。また、作業者は、非常用電源ユニット５の器具本体１０からの取り外し作業とほぼ同時に非常用電源ユニット５と制御装置６との電気的な接続解除作業を完了させることができる。
【００７０】
（２．４．６）カバー
カバー７は、図４に示すように、第１カバー７１と第２カバー７２を備えている。第１カバー７１と第２カバー７２は、前後方向から見てＬ字状に形成されている長尺の連結体７３によって左右方向に並ぶように連結されている。なお、第１カバー７１、第２カバー７２及び連結体７３は、金属のような不燃性の材料によって一体に形成されることが好ましい。例えば、カバー７は、アルミダイカストで構成されることが好ましい。ただし、カバー７は、金属以外の不燃性の材料、例えば、セラミックスなどで構成されてもよい。
【００７１】
第１カバー７１は、上面が開口する箱形に形成されている。第１カバー７１の下面は、常用照明装置２の透光カバー２０と同様に、短手方向（前後方向）において両端から中央に向かってなだらかに下向きに突出する曲面形状に形成されている（図４及び図７参照）。第１カバー７１の下面に凹部７１０が形成されている。凹部７１０は、下方から見た形状が楕円形に形成されている（図５Ａ参照）。凹部７１０の中央（底）に孔７１１が貫通している。孔７１１は、レンズ４４のレンズ本体４４０が挿通可能な形状（楕円形状）に形成されている。凹部７１０は、その長軸方向（左右方向）の両端を、その短軸方向（前後方向）の両端よりも下方へ突出させるように形成されている（図５Ｂ参照）。
【００７２】
第１カバー７１は、その下面における左端に４つの貫通孔（第１貫通孔７１２、第２貫通孔７１５、第３貫通孔７１３、第４貫通孔７１４）を有している（図５Ａ及び図７参照）。これらの貫通孔は、第１貫通孔７１２、第３貫通孔７１３、第４貫通孔７１４、第２貫通孔７１５の順に前方から後方に向かって１列に並ぶように配置されている。
【００７３】
第１カバー７１は、その上面における左端に２つの引掛部７１６を有している（図６Ａ参照）。引掛部７１６は、前後方向から見てＬ字状に形成されている（図６Ｂ参照）。また、引掛部７１６は、その先端（左端）に近付くにつれて上方へ傾斜するように構成されている（図６Ｂ参照）。
【００７４】
第２カバー７２は、図７に示すように、平坦部７２０と、腕部７２１と、固定部７２２とを有している。平坦部７２０は、おおよそ矩形平板状に形成されている。平坦部７２０は、その左端において連結体７３と連結されている。腕部７２１は、おおよそ矩形平板状に形成されている。腕部７２１は、平坦部７２０の右端における前端から上方へ立ち上がるように構成されている。固定部７２２は、おおよそ矩形平板状に形成されている。固定部７２２は、腕部７２１の上端から右方へ突出するように構成されている。また、固定部７２２は、その前方寄りの右隅に円形のねじ挿通孔７２３を有している。
【００７５】
カバー７は、図５Ａ〜図５Ｃに示すように、第１カバー７１によって非常用光源ユニット４、制御装置６及び非常用電源ユニット５の一部（左端部）を下から覆い、第２カバー７２によって非常用電源ユニット５の残り全部を下から覆うように構成されている。非常用光源ユニット４のレンズ本体４４０は、第１カバー７１の孔７１１に挿通されてカバー７の外に露出する。
【００７６】
第１操作部材６２１４は、第１カバー７１の第１貫通孔７１２と対向している（図１及び５Ａ参照）。本実施形態では、第１貫通孔７１２は、試験指の挿通を禁止する径寸法を有している。ここでは、試験指は、例えば、日本の電気用品安全法の別表第四１（２）ハに規定された擬似指としている。第１貫通孔７１２の径寸法がこのように規定されているため、第１操作部材６２１４は、人の指による押操作を受け付けない。第１操作部材６２１４は、第１貫通孔７１２に挿通される治具によって押操作される。
【００７７】
第２操作部材６２１５は、第１カバー７１の第２貫通孔７１５に対向している（図１参照）。本実施形態では、第２貫通孔７１５は、上記試験指の挿通を許可する径寸法を有している。第２貫通孔７１５の径寸法がこのように規定されているため、第２操作部材６２１５は、例えば、人の指によって押操作される。さらに、第２操作部材６２１５は、上方へ押し込まれていない状態において、その一部（基部６２１Ａの下部）が、第１カバー７１の第２貫通孔７１５内に挿通されている。第２操作部材６２１５は、図１に示すように、上方へ押し込まれていない状態において、左右方向に沿って見たときに、その少なくとも一部（図示例では基部６２１Ａの後方下部）が第２貫通孔７１５からカバー７の外に突出している。第２操作部材６２１５は、上方へ押し込まれていない状態において、第２貫通孔７１５からカバー７の外に突出していなくてもよい。ただし、押操作性を考慮すれば、図示例のように、第２操作部材６２１５の少なくとも一部が第２貫通孔７１５からカバー７の外に突出していることが望ましい。
【００７８】
第１カバー７１の第３貫通孔７１３は、制御装置６の受信部６１４と対向している（図１及び図５Ａ参照）。また、第１カバー７１の第４貫通孔７１４は、制御装置６の表示部６１３と対向している（図１及び図５Ａ参照）。つまり、リモートコントローラから送信される制御信号は、第３貫通孔７１３を通して受信部６１４に到達する。また、表示部６１３が発する光（緑色光）は、第４貫通孔７１４を通してカバー７の外に放射される。
【００７９】
カバー７は、第１カバー７１の一対の引掛部７１６と、第２カバー７２の固定部７２２とで器具本体１０に固定される。一対の引掛部７１６は、器具本体１０の左側の第２側板１３の下端から右方に突出する突片１３０に引っ掛けられる（図１２参照）。固定部７２２は、器具本体１０の天板１１にねじ止めされる。固定部７２２をねじ止めするためのねじは、固定部７２２のねじ挿通孔７２３と、押さえ具８の主片８０に設けられたねじ挿通孔８０１とに挿通された後、器具本体１０の天板１１に設けられている雌ねじにねじ込まれる（図１２参照）。
【００８０】
（３）カバーの形状と貫通孔の位置関係
ところで、本実施形態では、第１の方向（上下方向）において、第２プリント配線板６１０から第１貫通孔７１２までの第１距離Ｄ１は、第２プリント配線板６１０から第２貫通孔７１５までの第２距離Ｄ２よりも大きい（図１参照）。また、第１の方向に沿って見たときに、第２の方向（図５Ａの一点鎖線Ａ１参照）において、カバー７の中央Ｐ３から第１貫通孔７１２までの第３距離Ｄ３は、中央Ｐ３から第２貫通孔７１５までの第４距離Ｄ４よりも小さい。第１貫通孔７１２及び第２貫通孔７１５は、このような位置関係を有しているため、ユーザ又は点検作業者は、第１貫通孔７１２及び第２貫通孔７１５にそれぞれ対向した第１操作部材６２１４及び第２操作部材６２１５を区別し易い。つまり、第１距離Ｄ１と第２距離Ｄ２とが同じである場合や、第３距離Ｄ３と第４距離Ｄ４とが同じである場合といった、２つの貫通孔に高低差が無い位置関係や、中央Ｐ３を中心に対称となる位置関係にある場合に比べて、２つの操作部材を区別し易い。したがって、ユーザ又は点検作業者が意図しない方の点検動作に対応した操作部材を誤って操作する可能性を減らすことができ、点検時における利便性を向上することができる。
【００８１】
特に、本実施形態では、第２貫通孔７１５が、試験指の挿通を許可する径寸法を有している。そのため、ユーザは、指による押操作を前提として設けられた第２操作部材６２１５を容易に認識して、第２の点検動作を実行させることができる。また、第１貫通孔７１２は、試験指の挿通を禁止する径寸法を有している。そのため、ユーザが、本来第２の点検動作を実行させることを目的としているにも関わらず、誤って第１の点検動作に対応した第１操作部材６２１４を指で押すといった状況を回避できる。
【００８２】
また、本実施形態では、カバー７の第１カバー７１は、図１に示すように、第２の方向（前後方向）における両端から中央Ｐ３に近づくほど、器具本体１０から離れるように形成されている。特に、カバー７の第１カバー７１は、中央Ｐ３が器具本体１０から離れる向きに突出する湾曲形状に形成されている。そのため、第１距離Ｄ１が第２距離Ｄ２よりも大きいという寸法関係を、簡単な構造で実現することができる。また、第２貫通孔７１５は、第２プリント配線板６１０（基板）に対する傾斜が中央Ｐ３付近に比べて大きい位置に設けられている。そのため、同形及び同寸法の２つの操作部材は、それらの基部６２１Ａの表面を同じ下方向に向け、かつ、基板から略同じ距離の位置に配置されているにも関わらず、第２操作部材６２１５の一部を容易にカバー７の外に突出させることができる。要するに、指による押操作を前提とした第２操作部材６２１５が、第１操作部材６２１４のように中央Ｐ３付近に配置される場合に比べて、第２操作部材６２１５の一部を容易にカバー７の外に突出させることができる。このように第２操作部材６２１５の一部が突出していることで、第２の点検動作の実行時におけるユーザの押操作性が向上されている。
【００８３】
また、少なくとも第２の点検動作に関する状態を表示する表示部６１３と対向した第４貫通孔７１４が、第２貫通孔７１５の隣にあるため、第２の点検動作と表示部６１３との関係性を高めることができ、点検作業において利便性がよい。
【００８４】
一方、受信部６１４と対向した第３貫通孔７１３は、第１操作部材６２１４と対向した第１貫通孔７１２の隣にある。受信部６１４及び第１のスイッチ６１１は、いずれも第１の点検動作の実行を受け付ける部位であるため、第１貫通孔７１２と第３貫通孔７１３とを互いに隣り合わせて配置することで、関係性を高めることができる。したがって、第１の点検動作（自己点検動作）の実行時における点検作業者の利便性が向上されている。特に、受信部６１４に対向する第３貫通孔７１３は、リモートコントローラから送信される制御信号に対する受信感度を高めるためにも、図示例のように、他の貫通孔に比べて中央Ｐ３に最も近い位置に配置されることが望ましい。言い換えると、第３貫通孔７１３を中央Ｐ３付近に設けることで、リモートコントローラを操作する点検作業者の利便性を向上させることができる。
【００８５】
このように、第１の点検動作に対応した第１操作部材６２１４を中央Ｐ３付近に配置して、第２の点検動作に対応する第２操作部材６２１５を中央Ｐ３から離れた場所に配置することで、ユーザ及び点検作業者の点検作業時の利便性が向上されると言える。
【００８６】
なお、本実施形態では、カバー７の第１カバー７１の少なくとも中央Ｐ３を含む一部が、左右方向から見たときに、常用照明装置２の透光カバー２０と同様に、器具本体１０から離れる向きに突出する円弧状に形成されている。その結果、第１距離Ｄ１が第２距離Ｄ２よりも大きいという寸法関係を簡単な構造で実現することができ、また、照明器具１全体として見栄えをよくすることもできる。ただし、カバー７の第１カバー７１は、左右方向から見たときに、中央Ｐ３付近が平坦な台形状に形成されていてもよい。  （４）利点
以上説明したように、第１の態様に係る照明器具１は、常用照明を行う常用照明装置２と、非常用照明を行う非常用照明装置３と、常用照明装置２及び非常用照明装置３を互いに隣に並べて収容する器具本体１０とを備える。非常用照明装置３は、非常用光源ユニット４と、非常用電源ユニット５と、制御装置６と、カバー７とを備える。制御装置６は、非常用電源ユニット５から供給される電力で非常用光源ユニット４を点灯する。カバー７は、非常用光源ユニット４から放射される光が通過する孔７１１を有して非常用光源ユニット４及び制御装置６を覆う。制御装置６は、基板（第２プリント配線板６１０）と、当該基板に実装される第１のスイッチ６１１及び第２のスイッチ６１２とを有している。さらに、制御装置６は、押操作を受けて第１のスイッチ６１１をオンする第１操作部材６２１４と、押操作を受けて第２のスイッチ６１２をオンする第２操作部材６２１５とを有している。制御装置６は、第１のスイッチ６１１がオンされたときに第１の点検動作を行うように構成されている。また、制御装置６は、第２のスイッチ６１２がオンされたときに第１の点検動作とは異なる第２の点検動作を行うように構成されている。カバー７は、第１操作部材６２１４と対向する第１貫通孔７１２と、第２操作部材６２１５と対向する第２貫通孔７１５とを有する。基板（第２プリント配線板６１０）の厚み方向に平行な第１の方向において、当該基板から第１貫通孔７１２までの第１距離Ｄ１は、当該基板から第２貫通孔７１５までの第２距離Ｄ２よりも大きい。第１の方向に沿って見たときに、第１貫通孔７１２と第２貫通孔７１５とが並ぶ第２の方向において、カバー７の中央Ｐ３から第１貫通孔７１２までの第３距離Ｄ３は、中央Ｐ３から第２貫通孔７１５までの第４距離Ｄ４よりも小さい。
【００８７】
この構成によれば、第１距離Ｄ１と第２距離Ｄ２とが同じである場合、あるいは第３距離Ｄ３と第４距離Ｄ４とが同じである場合に比べて、２つの操作部材を区別し易い。したがって、ユーザ又は点検作業者が意図しない方の点検動作に対応した操作部材を誤って押操作する可能性を減らすことができ、点検時における利便性を向上することができる。
【００８８】
第２の態様に係る照明器具１に関して、第１の態様において、第１貫通孔７１２は、試験指の挿通を禁止する径寸法を有し、第２貫通孔７１５は、試験指の挿通を許可する径寸法を有していることが好ましい。この構成によれば、点検を専門業務としていないユーザが、本来第２の点検動作を実行させることを目的としているにも関わらず、誤って第１の点検動作に対応した第１操作部材６２１４を指で押すといった状況を回避できる。言い換えれば、ユーザは、指で押すべき操作部材を一目で判断できるため、点検作業における利便性がさらに向上される。
【００８９】
第３の態様に係る照明器具１に関して、第１の態様又は第２の態様において、第２操作部材６２１５の少なくとも一部は、第２貫通孔７１５からカバー７の外に突出していることが好ましい。この構成によれば、第２操作部材６２１５が第２貫通孔７１５からカバー７の外に突出していない場合に比べて、操作性がより向上される。
【００９０】
第４の態様に係る照明器具１に関して、第１の態様〜第３の態様のいずれかにおいて、第１のスイッチ６１１及び第２のスイッチ６１２は、押釦スイッチであることが好ましい。第１操作部材６２１４及び第２操作部材６２１５は、第１の方向に沿って、第１のスイッチ６１１及び第２のスイッチ６１２をそれぞれ押すように配置されていることが好ましい。この構成によれば、一方の押釦スイッチが第１の方向と交差する方向（例えば直交方向）に沿って押されるように配置され、他方の押釦スイッチが第１の方向に沿って押されるように配置される場合に比べて、基板への２つの押釦スイッチの実装が容易となる。その結果、製造コストを抑えることができる。
【００９１】
第５の態様に係る照明器具１に関して、第１の態様〜第４の態様のいずれかにおいて、カバー７は、第２の方向におけるカバー７の両端からカバー７の中央Ｐ３に近づくほど、器具本体１０から離れるように形成されていることが好ましい。この構成によれば、第１距離Ｄ１が第２距離Ｄ２よりも大きいという寸法関係を、簡単な構造で実現することができる。
【００９２】
第６の態様に係る照明器具１に関して、第１の態様〜第５の態様のいずれかにおいて、カバー７は、中央Ｐ３が器具本体１０から離れる向きに突出する湾曲形状に形成されていることが好ましい。この構成によれば、第１距離Ｄ１が第２距離Ｄ２よりも大きいという寸法関係を、簡単な構造で実現することができ、また、カバー全体として見栄えをよくすることもできる。特に、第２貫通孔７１５は、基板（第２プリント配線板６１０）に対する傾斜が中央Ｐ３付近に比べて大きい位置に設けられていることになり、第２操作部材６２１５の一部を容易にカバー７の外に突出させることができる。その結果、第２の点検動作の実行時における操作性がさらに向上される。
【００９３】
第７の態様に係る照明器具１に関して、第１の態様〜第６の態様のいずれかにおいて、カバー７の少なくとも中央Ｐ３を含む一部は、器具本体１０から離れる向きに突出する円弧状に形成されていることが好ましい。この構成によれば、第１距離Ｄ１が第２距離Ｄ２よりも大きいという寸法関係を、さらに簡単な構造で実現することができ、また、カバー全体として見栄えをよくすることもできる。さらに、第２操作部材６２１５の一部を容易にカバー７の外に突出させることができ、第２の点検動作の実行時における操作性がさらに向上される。
【００９４】
第８の態様に係る照明器具１に関して、第１の態様〜第７の態様のいずれかにおいて、制御装置６は、外部から制御信号を受信する受信部６１４をさらに有することが好ましい。カバー７は、受信部６１４と対向する第３貫通孔７１３をさらに有することが好ましい。制御装置６は、制御信号を受信すると、第１の点検動作を行うように構成されていることが好ましい。この構成によれば、第１の点検動作を実行させるための手段が増え、点検時における利便性をさらに向上することができる。
【００９５】
第９の態様に係る照明器具１に関して、第８の態様において、制御装置６は、少なくとも第２の点検動作に関する状態を表示する表示部６１３をさらに有することが好ましい。カバー７は、表示部６１３と対向する第４貫通孔７１４とをさらに有することが好ましい。第１〜第４貫通孔は、第２の方向に沿って、第１貫通孔７１２、第３貫通孔７１３、第４貫通孔７１４、第２貫通孔７１５の順に配置されていることが好ましい。
【００９６】
この構成によれば、第４貫通孔７１４が第２貫通孔７１５の隣にあるため、第２の点検動作と表示部６１３との関係性を高めることができる。一方、受信部６１４及び第１のスイッチ６１１は、いずれも第１の点検動作の実行を受け付ける部位であるため、第１貫通孔７１２と第３貫通孔７１３とを互いに隣り合わせて配置することで、互いの関係性を高めることができる。したがって、点検作業における利便性がさらに向上される。
【００９７】
第１０の態様に係る照明器具１に関して、第１の態様〜第９の態様のいずれかにおいて、第１操作部材６２１４及び第２操作部材６２１５は、互いに同寸法で同形状であることが好ましい。この構成によれば、同じ部材を２つ用いて制御装置６を製造できるため、製造コストを抑えることができる。
【符号の説明】
【００９８】
１  照明器具
２  常用照明装置
３  非常用照明装置
４  非常用光源ユニット
５  非常用電源ユニット
６  制御装置
６１０  第２プリント配線板（基板）
６１１  第１のスイッチ
６１２  第２のスイッチ
６１３  表示部
６１４  受信部
６２１４  第１操作部材
６２１５  第２操作部材
７  カバー
７１１  孔
７１２  第１貫通孔
７１３  第３貫通孔
７１４  第４貫通孔
７１５  第２貫通孔
１０  器具本体
Ｄ１  第１距離
Ｄ２  第２距離
Ｄ３  第３距離
Ｄ４  第４距離
Ｐ３  中央
【図１】
2018110060.tif 000003
【図２】
2018110060.tif 000004
【図３】
2018110060.tif 000005
【図４】
2018110060.tif 000006
【図５】
2018110060.tif 000007
【図６】
2018110060.tif 000008
【図７】
2018110060.tif 000009
【図８】
2018110060.tif 000010
【図９】
2018110060.tif 000011
【図１０】
2018110060.tif 000012
【図１１】
2018110060.tif 000013
【図１２】
2018110060.tif 000014